【誤訳訂正書】
【提出日】平成30年1月25日(2018.1.25)
【誤訳訂正１】
【訂正対象書類名】特許請求の範囲
【訂正対象項目名】全文
【訂正方法】変更
【訂正の内容】
【特許請求の範囲】
【請求項１】
ブラシレス電気機械を制御して出力を生成する方法であって、前記出力はトルクまたは力であり、前記方法は、スイッチに接続された第１の相の励磁を開始するスイッチオン点と前記第１の相の励磁を終了するスイッチオフ点との間の導通領域内において、前記ブラシレス電気機械の前記出力と前記第１の相の電流との間の非線形関係を補償しつつ出力要求に応じて前記機械の前記第１の相を励磁することにより、前記出力要求より高い出力上限と前記出力要求より低い出力下限との間の出力を生成する工程を備え、前記第１の相が励磁されて、前記導通領域の初めからディテント領域までと前記ディテント領域から前記導通領域の終わりまでとで前記出力上限と前記出力下限との間の前記出力を生成し、前記ディテント領域内において前記出力下限より低いディテントレベルで出力を生成することによって、前記機械が負荷によりストールする際に前記機械が前記ディテント領域内のディテント位置でストールする。
【請求項２】
出力要求が一定の場合、前記第１の相によって流れる電流は、前記導通領域の第２部分および第４部分では或るレベルより高くされ、前記第２部分は前記導通領域の第１部分と第３部分との間にあり、前記第４部分は前記導通領域の前記第３部分と第５部分との間にあり、前記電流は、前記導通領域の前記第１部分、前記第３部分および前記第５部分では前記レベルより低くされ、前記ディテント位置は、前記導通領域の前記第３部分内に設けられる、請求項１に記載の方法。
【請求項３】
前記レベルは、前記導通領域の最大電流と前記第３部分の最小電流との平均を超えない、請求項２に記載の方法。
【請求項４】
前記第３部分の最小電流は、前記ディテント領域で生じる、請求項２または３に記載の方法。
【請求項５】
前記ディテントレベルは、前記出力要求の９６％未満である、請求項１ないし４のいずれか１項に記載の方法。
【請求項６】
前記方法は、前記ディテント領域より前の前記導通領域の第１部分および前記ディテント領域より後の前記導通領域の第２部分において、前記第１の相と共に、第２の相および第３の相をそれぞれ励磁して、前記出力上限と前記出力下限との間の前記出力を生成する工程をさらに備える、請求項１ないし５のいずれか１項に記載の方法。
【請求項７】
前記ブラシレス電気機械は複数の相を有し、各相は前記第１の相として励磁され、隣接するディテント位置は隣接する相に関連し、前記方法は、前記機械が異なるディテント位置でストールするように、少なくとも２つのレベル間で前記出力要求を変更する工程を備え、前記異なるディテント位置のそれぞれは、異なる相にある、請求項１ないし６のいずれか１項に記載の方法。
【請求項８】
前記出力要求は、前記機械のストールが検出されたことを受けて変更される、請求項７に記載の方法。
【請求項９】
前記異なる相は互いに隣接する、請求項７または８に記載の方法。
【請求項１０】
前記ブラシレス電気機械はｎ個（ただし、ｎは２以上である）の相を有し、前記出力要求はｎ個のレベルの間で変更される、請求項７または８に記載の方法。
【請求項１１】
前記方法は、前記機械の速度を決定して、前記速度が第１の値を下回る場合は前記ディテント領域において前記ディテントレベルで出力を生成し、前記速度が第２の値を超える場合は前記ディテント領域において前記出力下限以上のレベルで出力を生成する工程を備え、
前記第２の値は、前記第１の値以上である、請求項１ないし１０のいずれか１項に記載の方法。
【請求項１２】
前記ブラシレス電気機械は、トルクまたは力の出力を有し、負荷に前記出力を伝達するコンプライアント伝達機構を介して前記負荷に連結される、請求項１ないし１１のいずれか１項に記載の方法。
【請求項１３】
前記ブラシレス電気機械は、車両の１つ以上のトラクションホイールに連結される、請求項１ないし１２のいずれか１項に記載の方法。
【請求項１４】
前記ブラシレス電気機械は、スイッチドリラクタンス機械である、請求項１ないし１３のいずれか１項に記載の方法。
【請求項１５】
請求項１ないし１４のいずれか１項に記載されるブラシレス電気機械を制御して出力を生成する方法を実行する制御システム。
【請求項１６】
ブラシレス電気機械と、前記ブラシレス電気機械に連結された制御システムとを備える駆動装置であって、前記制御システムは、前記制御システムに請求項１ないし１４のいずれか１項に記載された方法によって前記ブラシレス電気機械を制御させるよう構成されたプロセッサを備える、駆動装置。
【誤訳訂正２】
【訂正対象書類名】明細書
【訂正対象項目名】全文
【訂正方法】変更
【訂正の内容】
【発明の詳細な説明】
【発明の名称】ブラシレス電気機械を制御する方法、制御システム、および駆動装置
【技術分野】
【０００１】
本発明は、ブラシレス電気機械の制御に関する。本発明は、特に、スイッチドリラクタンス機械に関するが、それに限定されるものではない。
【背景技術】
【０００２】
スイッチドリラクタンス機械は、ブラシレス電気機械の一種である。機械は、複数のロータポールを定めるロータと、複数のステータポールを定めるステータと、ステータポールに関連して配置され１つ以上の個別に励磁可能な相を定める一組の巻線とを備える。リラクタンス機械において、１つ以上の相巻線を励磁すると、対応付けられたステータポールを含む回路に磁束が発生し、回路のリラクタンスが最小となる（また、対応する相巻線のインダクタンスが最大となる）位置にロータが動かされる。モータリング動作では、ロータ位置によって巻線を順次励磁するタイミングを調節することにより、ロータの動作が引き起こされる。スイッチドリラクタンス機械が組み込まれた電気駆動装置の一般的な取り扱いについては、例えば 「Electronic Control of Switched Reluctance Machines」、TJE Miller編, Newnes, 2001等の様々な本に載っており、この内容は参照することにより本出願に組み込まれるものとする。より詳細な内容は、the PCIM '93 Conference and Exhibition at Nurnberg, Germany, June 21-24, 1993で発表されたStephensonとBlakeによる論文「The Characteristics, Design and Applications of Switched Reluctance Motors and Drives」に記載されており、この内容も参照することにより本明細書に組み込まれるものとする。当技術で周知のように、これらの機械は、相巻線を励磁するタイミングを変えることによって、電動機または発電機として動作させることができる。
【０００３】
電流がステータコイルを流れてロータの永久磁石によって場が発生する、いわゆるブラシレス直流機械等の従来の誘導同期式「電磁」機械と異なり、スイッチドリラクタンス機械は、純粋に「磁気」機械であり、磁気回路のリラクタンスが変化する際に、トルクは磁場によってのみ生成される。したがって、これら二種類の機械を制御する方法は、制御がトルクの生成方法に関連しているため、全く異なる。一般に、正弦波で給電される従来の機械に用いられる制御方法は、スイッチドリラクタンス機械には適さない。
【０００４】
図１は、典型的なスイッチドリラクタンス機械の断面を示す。この例では、強磁性ステータ１０は、６個のステータポール１２を有する。強磁性ロータ１４は、４個のロータポール１６を有する。各ステータポールは、コイル１８を有している。径方向に反対側に位置するポールのコイルはそれぞれ直列に接続され、これにより、３相巻線が設けられる。分かりやすいように、１つの相巻線のみが示されている。スイッチドリラクタンス機械の制御は、当業者に周知の様々な方法で実行可能である。ロータの角位置に関する情報が位置検出器等から入手可能であれば、励起を位置の関数として与えることが可能である。このような機械は、「ロータポジションスイッチド機械」と呼ばれることが多い。
【０００５】
典型的なスイッチドリラクタンス駆動装置を図２に示す。この例で、機械３６は、図１に示された機械に対応する。３相巻線Ａ、Ｂ、Ｃは、一組のパワー電子スイッチ４８によって順番に直流電源Ｖに切り換えられる。スイッチが作動する時点（つまり、ロータ位置）はコントローラ３８によって決定される。コントローラは、ハードウエアとして、またはマイクロコントローラやデジタル信号処理装置などの処理デバイスのソフトウエアとして実現されてよい。制御信号は、データバス４６を介してスイッチに送られる。電流センサ４４で相電流を検知し、要求電流ｉＤと比較される相電流に比例する信号をフィードバックすることによって、閉ループ電流フィードバックが行われる。制御アルゴリズムは、比例（Ｐ）、比例積分（Ｐ＋Ｉ）、時間最適、フィードバック線形化、比例・積分・微分(ＰＩＤ)の機能、または当業界でよく知られているその他の多くの機能のうちの一つを含んでいてもよい。また、位置検出器４０からロータ位置信号をフィードバックすることによって、位置または速度の外部制御ループが行われることも一般的である。
【０００６】
動作中、電流要求４２に対応する信号がコントローラに与えられる。これによって、採用されている特定の制御方式に従って巻線内の電流が調整され、機械から所望の出力が生成される。
【０００７】
スイッチドリラクタンス機械の性能は、ロータ位置を基準にした相励磁のタイミングの精度に部分的に依存する。ロータ位置検出は、従来、ステータに取り付けられた光学または磁気センサ等と協働して作動する、図２に模式的に示される物理的なロータ位置変換器（ＲＰＴ）４０、例えば、機械のロータに搭載される歯付き回転ディスク等、を用いて実現される。ステータに対するロータ位置を示すパルス列が生成されて処理デバイスに供給されることにより、正確な相励磁が可能となる。別の位置検出方法としては、いわゆる「センサレス」方法がある。この方式では、物理的な位置変換器は設けられず、機械の１つ以上の他のパラメータの測定値から位置が推定される。
【０００８】
巻線内の電流は比較的簡単に測定できるため、機械の閉ループ制御は、従来、巻線内の励磁電流を監視および制御することによって実現される。しかし、機械で要求される出力は通常、トルクや位置、あるいは速度であり、電流はこれら全てと極めて非線形的関係にある。その結果、電流制御手法を用いると、一般に、トルクリップルや位置誤差および／または速度誤差等の出力が不正確となる。これらの短所に対処するために、後述するように多くの電流制御方式が考案された。
【０００９】
多くの異なる電力コンバータにおけるトポロジーが知られており、前記Stephensonの論文にその幾つかが述べられている。最も一般的な構成の一つを、多相システムの１つの相を用いて図３に示す。図では、機械の相巻線３２がバスバー２６、２７間で２つのスイッチ装置２１、２２に直列に接続されている。バスバー２６、２７を、コンバータの「ＤＣリンク」と総称する。エネルギーリカバリーダイオード２３、２４は、スイッチ２１，２２が開放されたときに巻線電流がＤＣリンクへと逆流するよう、巻線に接続される。「ＤＣリンクコンデンサ」として知られるコンデンサ２５は、ＤＣリンクの間に接続され、電源から流れない又は電源に戻ることのできないＤＣリンク電流（いわゆる「リップル電流」）のあらゆる交流成分を供給したり吸収したりする。実際面では、コンデンサ２５は、直列および／または並列に接続された複数のコンデンサを備えていてもよい。並列接続の場合、構成要素の一部をコンバータ中に分散させてもよい。多相システムでは、通常、図３に示された幾つかの「相端子」を並列接続したものを用いて、電気機械の相を個別に励磁している。
【００１０】
スイッチドリラクタンス機械の相インダクタンス周期は、連続する周期における共通ポイント間（例えば、ロータポールとそれに対応するステータポールとが完全に整列している場合のインダクタンス最大値間）における当該相または各相のインダクタンス変動期間である。上記Stephensonの論文で説明されているように、最大インダクタンス領域は、一対のロータポールが一対のステータポールと完全に整列しているロータ位置を中心としている。同様に、最小インダクタンス領域は、図１に示すように、ロータポール間軸がステータポール軸と整列する位置を中心としている。
【００１１】
低速では、スイッチドリラクタンスシステムは、一般に、電流制御モードまたは「チョッピング」モードで動作する。前記Stephensonの論文で説明されているように、「ハード」チョッピングを用いるヒステリシス電流制御装置が使用されることが多い。これを図４（ａ）に示す。図では、相が励磁されるスイッチオン角度θｏｎと消磁されるスイッチオフ角度θｏｆｆとの間において注目している相の導通領域において、電流が高ヒステリシスレベルＩｕと低ヒステリシスレベルＩｌとの周期を繰り返す。別の制御方式としては、「ソフト」チョッピングがある。この場合、電流が高レベルに達するとスイッチが一つだけ開放される。電流はその後、巻線と第２スイッチと一つのダイオードとを介してさらにゆるやかに減衰する。これを図４（ｂ）に示す。スイッチや電流制御装置の能力によっては、電流が事実上平坦となるまでヒステリシスバンドの幅を減少させることができる。ロータの角速度が遅い場合、スイッチオンから所望のレベルに達するまでにロータが移動する角度は非常に小さくなり、電流波形は後述するように矩形状となる。他の種類の電流制御装置も当技術では周知であり、その例として、ＥＰ−Ａ−０７６９８４４に記載される電流制御装置、その内容は参照することにより本出願に組み込まれるものとする、や、オフタイム制御装置、定周波数制御装置等があるが、これ以上の説明はここでは省略する。
【００１２】
高速では、スイッチドリラクタンスシステムは、通常、チョッピングモードではなく、「シングルパルス」励磁モードで動作する。これも前記Stephensonの論文で説明されている。
【００１３】
このように、システムは一般に、低速ではチョッピングモードを用い、高速ではシングルパルスモードを用いる。チョッピング電流の高低レベルは、通常、シングルパルスモードの予想ピーク電流より大きい値に設定されるので、これらパラメータはシングルパルス動作の妨げにならない。また、高電流レベルを「セーフティネット」となる値に設定することが知られている。そうすることによって、駆動装置が故障した場合に、電流がこの高レベルを超えて１つ以上のスイッチ装置が開放され、電流を安全値に抑えることができる。
【００１４】
上記はモータリング動作を想定して説明されたが、スイッチドリラクタンス機械は、電流波形が一般にモータリング波形の鏡像となる生成モードでも同様に動作することは周知である。
【００１５】
他の何種類かの電気機械と異なり、スイッチドリラクタンス機械では一般に、トルクと電流は線形関係にない。これについての理由は、前記Millerの本やStephensonの論文により詳細に述べられている。上記関係を図５に示す。図では、ロータ角４５度を超えるまで定電流が印加された場合の図１の３相機械の一つの相に関するいわゆる静トルクが示されている。機械の動作範囲において低い（例えば、１０％未満）電流の場合、トルクはほぼ矩形状となる。しかし、磁束や電流レベルが上がるにつれ、磁束を保持する鉄の磁気特性は著しく非線形となり、トルクの形状は丸くなる。図示されるトルク曲線の形状は、機械において定格電流の場合によくみられるものである。
【００１６】
実際の波形では、通常、図示の平均電流にチョッピングリップルが重畳されるので、当業者であれば図５に示される電流波形が理想化されたものであるということは分かるであろう。
【００１７】
図６は、機械の異なる相におけるトルク曲線の関係を示す。６個のステータポールと４個のロータポールを備える機械において、曲線間の角変位（いわゆるε角度)は３０度である。回転する機械から連続トルクを発生させる最も簡単な方法は、トルク曲線が交差するときに一つの相をオンに切り換え、ε角度回転した後にこの相をオフに切り換えて次の相をオンに切り換えるものである。これを図７に示す。ここでも相電流は一定とする。これは簡単に実現できる制御方式であるが、大きなトルクリップルが生じるという明らかな欠点がある。どの角度でも利用できる最小トルクはεトルクと呼ばれ、これを図７に示す。ε角度で生成される平均トルクは、曲線の正確な形にもよるが、ピークトルクとεトルクとの間である。しかし、この方法では、各相を相周期の１／３しか利用することができず、ステータや電子制御装置が十分に活用できないという欠点もある。
【００１８】
これらのデメリットを解消するために、各相が所望の方向にトルクを生成し得る時に必ず当該相を励起する方法が知られている。図示の３相機械の場合、励起パターンは、１５度の間はＡ相のみ、次の１５度ではＡ相とＢ相、次の１５度ではＢ相のみ等となる。これを図８に示す（ここでは、相間のいかなる相互作用も無視する)。このパターンは、「相重複」や「１1/2フェーズオン」等として知られている。εトルクは事実上２倍になることが分かる（２つの相が前回の交錯点で同一のトルクを生成しており、トルク曲線の傾斜がほぼ同じ大きさになるためである）。ピークトルクは変わらないので、トルクリップルははるかに小さくなり、平均トルクは大幅に増加する。各相は相周期の半分の期間で使用されるので、ステータの利用率が高くなる。
この励起方式は多くのデバイスに採用されるが、電流を制御するために用いられるデバイスの電流定格を必要以上に犠牲にすることなく、より円滑なトルクが必要となる利用分野もある。
【発明の概要】
【発明が解決しようとする課題】
【００１９】
本発明は、駆動装置がストールするロータ位置を制御または左右することを目的としている。
【課題を解決するための手段】
【００２０】
本発明の一局面では、請求項１に定められるようなブラシレス電気機械を制御する方法が提供される。本発明のさらに別の局面では、請求項１５に定められるような制御システムおよび請求項１６に定められるような駆動装置が提供される。
【００２１】
一実施の形態において、ブラシレス電気機械を制御して出力を生成する方法が提供される。出力はトルクまたは力である。この方法は、スイッチオンポイントとスイッチオフポイントとの間の導通領域内において機械の第１の相を励磁する工程を備える。機械は、ブラシレス電気機械の出力と第１の相の電流との間の非線形関係を補償しつつ出力要求に応じて励磁され、出力要求より高い出力上限と出力要求より低い出力下限との間の出力を生成する。上限および下限出力の間の出力は、導通領域の初めからディテント領域までとディテント領域から導通領域の終わりまでとで、出力要求に応じて生成される。ディテント領域においては、ディテントレベルで出力が生成される。ディテントレベルは、下限よりも低い。このように、機械がディテント領域内のディテント位置でストールしやすくする。
【００２２】
好適には、ブラシレス電気機械を制御して、ディテント領域外では出力上限許容値と出力下限許容値との間の出力を生成し、出力が下限許容値よりも低くなるよう機械を制御することによって、機械がストールしやすいディテント領域を定義することができる。これによって、機械のストール動作を制御することができる。
【００２３】
理想的条件では、導通領域で出力が理想的に円滑または平坦になるよう、出力上限および出力下限は同じである（出力要求と等しくなる）。実際の状況では、上記出力変動を完全に補償することはできないため、機械は、出力要求で出力を生成するよう制御され、出力要求は、実質的に円滑または平坦であり、補償されていない出力変動に起因して上限と下限との間で変動する。例えば、上限および下限は、出力要求のいずれ側においても５％であってもよく、より平坦な出力を得るようにするために、例えば、上限および下限を出力要求のいずれ側においても（出力要求に対して）３％、さらには１％や２％としてもよい。実質的に円滑または平坦な出力を得るためには、いかなる公知の出力調整手法を用いてもよく、例えば、電流（または磁束等の他の制御量）のプロファイリングを行うことによって、出力の所望の平滑度を実現してもよい。制御および／またはプロファイリングは、機械の特性に基づくフィードフォワード制御や、出力やその変動のような好適なフィードバック量に基づくフィードバック制御に基づいて行われてもよい。フィードフォワード制御およびフィードバック制御を組み合わせることも同様に可能である。実現可能な様々な制御手法では、ロータ位置の検出にセンサレス方式、あるいはロータ位置検出ハードウエアを用いる位置検出が採用されてもよい。また、ロータ位置の検出は、センサレス方式とハードウエア方式を組み合わせることによっても同様に可能である。
【００２４】
いくつかの実施の形態では、ディテントレベルは出力要求の９６％未満である。例えば、ディテントレベルは９５％でもよい。ディテントレベルにはより低いあるいはより高い値も同様に可能であるが、より高い値ではディテント効果は減少し、より低くなると好ましくないトルクリップルが発生してしまう。
【００２５】
いくつかの実施の形態では、方法は、第１の相と共に第２および第３の相をそれぞれ励磁する工程を備える。第２の相は、ディテント領域より前の導通領域の第１部分で第１の相と共に励磁され、第３の相は、ディテント領域より後の導通領域の第２部分で第１の相と共に励磁されて、上限と下限との間の出力を生成する。これら実施の形態では、図８を参照して説明した上記励磁方式を用いて出力の平滑化を容易にしてもよい。
【００２６】
いくつかの実施の形態では、実質的に円滑な出力を生成するよう機械を制御した結果、ある一定の出力要求の場合に第１の相によって流れる電流が、導通領域の第２および第４部分において想定レベルより高くなる。導通領域の第２および第４部分は、導通領域の第１、第３および第５部分の間にあり、これらの部分では電流は想定レベルよりも低い。したがって、電流プロファイルには、（直流電流制御または例えば磁束制御の結果として)谷を挟む２つピークがある。いくつかの実施の形態では、ディテント位置は第３部分内にあり、第３部分は電流プロファイルの２つのピーク間の谷部分である。このように、ディテント領域は、第１の相によって流れる電流が比較的低い領域にディテント位置が位置するように配置される。これは、ストール中に相によって流れる電流に対応する熱負荷は、流れる電流がより高い場合に比べて減少することを意味する。想定レベルは、第１の相の導通領域内の最大電流と第１の相の導通領域の第３部分内の最小電流との平均より低くてもよい。想定レベルは、第１の相の導通領域内における最小電流の９０％と最大電流の１０％との和より低くてもよい。いくつかの実施の形態では、第１の相の導通領域の第３部分内の最小電流は、ディテント領域内で生じる。この結果、ディテント領域内でストールする時に、相によって最小電流（あるいは最小電流に近い電流）が流れる。
【００２７】
いくつかの実施の形態では、該ブラシレス電気機械は、コンプライアントトルク伝達機構によって負荷に連結される。伝達機構のコンプライアンスは、負荷の移動なく、機械がディテント領域内のストール位置へ移動する可能性があることを意味する。いくつかの実施の形態では、ブラシレス電気機械は、車両の１つ以上のトラクションホイール、例えば、後述のようなローダ、に連結されている。
【００２８】
いくつかの実施の形態では、該ブラシレス電気機械は複数の相を有し、該方法は、機械が異なるディテント位置でストールするように少なくとも２つのレベル間で出力要求を変化させる工程を含む。ディテント位置のそれぞれは、異なる相にある。これにより、ストール電流に伴う熱負荷を複数の相で共有することができ、ストール状態における機械の加熱を低減することができる。特に、いくつかの実施の形態では、出力要求は、機械のストールが検出されたことを受けて変更される。異なる相は互いに隣接していてもよく、ｎ個の相を有するブラシレス電気機械の場合、出力要求はｎ個のレベル間で変更されてもよい（これにより、ｎ個の相それぞれに対応するストール位置に到達するようにする）。
【００２９】
いくつかの実施の形態では、該ブラシレス電気機械はロータを有する。つまり、該機械は、トルクを出力する回転機械である。しかし、本開示は、機械が、静止部に対して直線運動するよう配置された移動部を有し、力の出力を生成するこのような直線機械である実施の形態にも同様に適用可能である。
【００３０】
いくつかの実施の形態では、該ブラシレス電気機械は、スイッチドリラクタンス機械である。別の実施の形態では、該ブラシレス電気機械は、ブラシレス直流機や他の好適な種類のブラシレス電気機械であってもよい。
【００３１】
いくつかの実施の形態では、ディテントレベルの出力となるディテント領域の導入は、速度に左右される。これを達成するため、例えば、機械の速度が決定され、速度が第１の値を下回る場合はディテント領域においてディテントレベルで出力が生成され、速度が第２の値を超える場合は下レベル以上で出力を生成してもよい。第２の値は第１の値と同じであってもよく、閾値レベルの役割を果たしてもよい。あるいは、例えば、速度が第１の値から第２の値に増加するにつれ、ディテントレベルから出力低下が全くなくなるまでレベルを徐々に遷移させることによって、第２の値を第１の値より大きくしてもよい。この場合、出力がディテント領域でディテントベルまで周期的に低下することに伴って起こるトルクリップルによって機械や駆動装置に共鳴が誘発されるリスクが低くなる。
【００３２】
他の実施の形態では、上記方法や手法に従ってブラシレス電気機械を制御する手段を備える制御システムを提供している。さらに別の実施の形態では、ブラシレス電気機械とこれに連結される制御システムとを備える駆動装置を提供している。制御システムは、上記方法や手法に従って制御システムにブラシレス電気機械を制御させるように構成されたプロセッサを備えている。
【００３３】
本発明は、様々な形で実施することができ、以下、添付図面を参照しながらそのいくつかを例に挙げて説明する。
【図面の簡単な説明】
【００３４】
【図１】図１は、スイッチドリラクタンス機械の概略軸交差断面を示す。
【図２】図２は、スイッチドリラクタンス機械駆動システムの概略を示す。
【図３】図３は、スイッチドリラクタンス機械に適した電力変換回路の一部を示す。
【図４（ａ）】図４（ａ）は、チョッピング電流波形およびそのインダクタンスプロファイルとの角関係を示す。
【図４（ｂ）】図４（ｂ）は、フリーホイーリングを加味したチョッピング電流波形を示す。
【図５】図５は、機械の一つの相に関するトルクおよび電流波形を示す。
【図６】図６は、機械の他の相を重ね合わせた図５の波形を示す。
【図７】図７は、一度に一つの相を励起することによって生成されたトルク波形を示す。
【図８】図８は、複数の相を重ね合わせることによって生成されたトルク波形を示す。
【図９】図９は、あるロータ角で滑らかなトルクを生成するための相電流プロファイルを示す。
【図１０】図１０は、別のものと重なった滑らかなトルクを与える相電流プロファイルを示す。
【図１１】図１１は、駆動トルクおよび負荷トルクを示す。
【図１２】図１２は、トルク波形および電流波形を示す。
【図１３】図１３は、本発明の一局面に係るトルク波形を示す。
【図１４】図１４は、本発明の別の一局面に係るトルク波形を示す。
【発明を実施するための形態】
【００３５】
負荷のうち何種類かは、原動機により発生したトルクリップルの影響を特に受けやすく、「滑らかな」トルク、つまり、ロータ位置によって著しく変動しないトルクを発生させる多くの手法が提案されている。そのうちのいくつかの手法では、例えばＥＰ０９３０６９４（Randall）に開示されているように、ロータおよび／またはステータポールのプロファイルを調整する等の機械的な解法に注力している。別の方法では、米国特許第６９２２０３６号(Ehsani)に開示されているように、電流をロータ角の関数とすることによって、電流の大きさを、一定（図５ないし８参照）ではなく、導通角度にある間は変化させるようにしている。後者の手法は、一般に「電流プロファイリング」と呼ばれる。
【００３６】
電流プロファイリングは様々な方法で実現可能である。最も簡単な方法の一つは、図７に従って、一度に一つの相を用いる。いずれの相でもε角の間は、電流はトルク波形とは逆に変調され、ε角の間ずっとトルクは一定に保たれる。これを図９に示す。しかし実用上は、この手法には３つのデメリットがある。第一に、電流を瞬時に相に対して与えたり取り除いたりすることはできない。第二に、既に図７を参照して述べたように、一度に一つの相だけを励磁する場合のεトルクはかなり低いため、機械からの出力は図７の平均トルク（実際の波形にもよるが、εトルクのおよそ二倍）からεトルクにまで減少してしまう。第三に、電流は電気周期のほんの一部にしか存在せず、しかも複数の高いピーク値を有するため、ＲＭＳが比較的高くなり、生成されたトルクに対して比較的高い巻線損となる。
【００３７】
これらデメリットは、上記図８で示されたのと同様に、いくつかのロータ角で２つ（またはそれ以上の）相を励磁することによって、少なくとも部分的に解決することができる。相電流の立ち上がりおよび立ち下がりエッジは、立ち下がり相によって生成されたトルクが立ち上がり相によって生成されたトルクと調和して、必要とされる一定のトルク値を付与するようなプロファイルとなる。これを、一つの相の場合について図１０に示す。図では、一定でリップルのないトルクが、図９の構成よりも小さい電流で実現可能である。
【００３８】
図１０のεトルクは理想的に平坦または滑らかなトルクに対応する直線として示されているが、実際には、例えば、機種による誤差や制限されたフィードバック利得により、あるトルク要求に対するトルク出力は、許容可能トルク変動の上下限範囲の間においてトルク要求付近である程度変動する。結果として、実際の実施装置では、トルク出力は、制御工程でのノイズや不正確さや設計上の制約を見越しつつ、実質的に平坦または滑らかになる。
【００３９】
このように滑らかなトルクを実現する電流のプロファイルを選択する方法としては、個々の相電流に固有の解決策がないため、いろいろな方法が利用可能ある。例えば、Hung, JYによる「Torque ripple minimisation for variable reluctance motors」, Mechatronics, Vol. 4, No. 8, 1994, pp. 785-794、では、磁気回路の飽和に関する問題を無視した非常に簡単な方法が記載されている。Schramm, DS、 Williams, BW、 Green TCによる「Optimum commutation-current profile on torque linearization of switched reluctance motors」, the Proceedings of the International Conference on Electrical Machines, 15-17, Sept 1992, Manchester, UK, Vol. 2, pp. 484-488、では、ルックアップテーブルを用いたより複雑な方法が開示されている。さらに、Gobbi, R & Sahoo, NCによる「A fuzzy iterative approach for determination of current waveform for switched reluctance motors using a torque sharing function at positive and negative torque production regions」, the Proceedings of the 30th Annual Conference of the Industrial Electronics Society, 02-06 Nov 04, Busan, Korea, Vol. 4, pp. 3172-3177、では、個々の相電流に対する解決に向けてファジイ論理方法を繰り返し実施している。
【００４０】
これらの方法全てに共通するのは、相がロータ位置によって変化する電流を流すことによって、相電流と当該相によって生成されるトルクとの非線形関係が（できるだけ完全または部分的に）補償されるよう、相を励磁するという点である。一般に、結果として得られる電流波形には谷を挟んで２つのピークがあり、相導通領域の中央領域で或る電流に対して高いトルクを生成するトルク生成特性を反映している。
【００４１】
電気的な駆動システムを必要とする応用例では、実質的にリップルのないトルクの生成が最善の解決法とされることが多いが、意外なことに、常にこれが全体的に見て最善な解決法とは言えない応用分野もある。負荷に必要なトルクが駆動装置で得ることのできるトルクを超えており、システムがストールしてしまうことは珍しいことではない。これは偶然に起こりうることもあるし、負荷を特定位置に保持するために作為的に引き起こすことも可能である。例えば、ホイストが駆動システムによって駆動されており、負荷を特定の高さに保持したい場合、負荷をある位置まで動かし、その位置で負荷が保持されるまでトルクを減少させることができ、このようにして、ブレーキをかける必要がなくなる。さらに別の例としては、ローダ等のばら材料をすくい上げる車両用のトラクション駆動装置が挙げられる。この場合、車両は積み上げられた材料まで駆動され、別の操作が行われる間そこで保持される。この種のシステムは、駆動システムのトルクを地面に伝えるゴム製タイヤにおいて大きなコンプライアンスがあるため、より複雑になっている。滑らかで一定の傾斜を有する表面を車両が安定した速度で進む場合、トルクを伝達する際のコンプライアンスは駆動装置に全く影響を与えない。しかし、ストール時には、駆動装置がトルクを与え続けるのに対して車両は動かないため、タイヤが「ワインドアップ」してしまう。
【００４２】
これを図１１に示す。ここでは、滑らかなトルクが駆動装置から供給されて、タイヤが駆動トルクと同等のトルクを生じるようになるまで（ポイントＸ）タイヤのコンプライアンスをワインドアップする。典型的には、車両のギアを入れるということは、モータがワインドアップ工程で多くの相サイクルを経て、場合によっては数回転する、ということである。そのため、コンプライアンスの変動が非常に小さい場合 (これは、例えば、周辺温度の変化で簡単に起こりうる)、ロータが停止する相周期の特定位置に大きな差が生じる可能性がある。図９および図１０を参照することで、それによってストール電流がいかに簡単に２倍や３倍に変化しうるかが示される。そのため、巻取り装置や切り替え装置の付随損失は大きく変動し、駆動装置の温度管理が難しくなる。
【００４３】
駆動装置がストールするロータ位置を制御または左右するために、相巻線の電流プロファイルを導通領域のディテント領域内で変化させて、相電流が最低値あるいはそれに近い値になる時点（またはディテント位置）で駆動装置がストールするようにし、それによって駆動システムの付随損失を最小限に抑える。図１２は、ディテント領域ＤＲ内のディテント位置で駆動装置がストールするように、図１０に示す電流プロファイルのディテント領域に導入された僅かな低下部を示す図である。これにより、図示するように、対応する低下部がトルクにも生じる。このトルク波形がタイヤのコンプライアンスに適用されると、図１３から、最低電流に対応するトルクの低下部で駆動装置がストールすることが分かる。これによって、駆動装置がストールするロータ角を制御可能とするだけでなく、ストールを確実に電流プロファイルの最低点のディテント領域内で起こさせるという有益な効果が得られる。また、駆動装置が３相駆動装置の場合、図８ないし１２から、電流の低下部が電流波形の中央にある第３部分に位置するため、その時点で隣接相には電流が流れていないことが分かる。これにより、駆動装置の温度管理がさらに容易となる。
【００４４】
この手法は、反直感的な手法である。なぜなら、通常避けるべきものと考えられるトルクリップルを機械の出力に再導入しているためである。しかし、上記から分かるように、図９や図１０の滑らかなトルクからあえて脱却し、ストール状態で温度管理することの難しさを大幅に軽減することによって、駆動システムにとって全体的なメリットとなる。
【００４５】
必要なトルクの低下量は、とりわけ、トルク伝達機構のコンプライアンス量および機械の電気周期と負荷との連結に左右されるが、大きな産業車両の場合の一般的な値としては、出力トルクの約５％のトルク低下が導入されることになる。
【００４６】
概念的には、図１２に理論上の電流レベル３０を描き、導通領域を５つの部分、つまり、２つの側方部分Ａ、Ｅと、電流が理論レベルよりも低い中央部分Ｃと、電流が理論レベルよりも高い２つの中間部分Ｂ、Ｄと、に分けることができる。ストール電流の減少によるメリットの一部は、中間部分よりも電流が低い中央部分で電流の（したがって、トルクの）低下部が導入される場合に実現可能である。理論レベルが低いほど、メリットは大きくなる。中央部分の最低点を含むようにディテント領域が選択されると、最適にまたは最適に近いストール電流の減少が実現される。中央部分で電流低下が起こるよう選択することにより、何らかの励磁方式で隣接する相によって流れる電流もまた、低下部の位置設定や励磁方式や機械の相数にもよるが、減少する。
【００４７】
速度に依存するディテント領域を導入することが有用な場合もあり、そのため、駆動装置が低速で動作する場合や速度がゼロに近づいてほぼストールしそうな場合にのみ、ディテント領域を導入してもよい。これにより、トルクのリップルによって駆動列の共鳴が誘発される可能性が低下する。
【００４８】
上記手法を用いてストール状態における温度管理の問題を大幅に軽減することができるが、損失は、依然として一つの相巻線と当該相を供給するコンバータの相端子とに集中する。駆動装置が長時間ストールする場合、温度限度は、依然として懸念事項である。そこで、駆動システムを有益的により向上させる本発明の別の局面について説明する。図１２および１３を検証すると、隣接するトルク低下部（したがって、隣接するディテント／ストール位置)は、機械の隣接する相と関連していることが分かる。トルク出力が比較的小さく変動する場合、タイヤトルク線は、異なる低下部上で駆動トルクプロファイルと交わることになる。これを図１４に示す。図１４は図１３の部分拡大図である。
【００４９】
図１４において、駆動トルクは、最初の値Ｔから増加した値Ｔｉおよび減少した値Ｔｒに変化している。負荷は、発生するトルクに依存してシステムを新しいディテント位置ＸｉおよびＸｒでストールさせることが分かる。位置Ｘｉ、Ｘ、Ｘｒはそれぞれ、本例に用いられる機械の３つの相の位置に対応している。より多くの相を有するシステムの場合は、それに応じた効果が得られることは明らかである。このように、ストール状態の熱負荷は、駆動装置のいくつかまたは全ての相に分散させることができる。分かりやすいように、図１４では、角スケールの動きを誇張して示しているが、実際の動きは比較的小さく、負荷に悪影響を及ぼすことはない。プロファイルされた相電流を用いないシステムでも同様の効果は得られるであろうが、上記実施の形態では一つの相から別の相への制御された遷移ができ、駆動装置が停止する点の全てを、駆動装置で得ることのできる最小の熱負荷に対応させることができる。
【００５０】
これまでは、導通角の間における電流プロファイリングの利用例について説明した。これは、駆動システムで共通に用いられる電流制御装置で実現可能である。しかし、本発明は別のパラメータを用いて機械の励磁レベルを制御することによっても実現可能である。例えば、駆動装置は磁束制御装置を備えていてもよく、機械の磁束を監視し所定のプロファイルになるよう制御することによって励磁制御を行ってもよい。
【００５１】
以上が、ステータに対して相対的に回転して出力トルクを生成するよう配置されたロータを有する回転機の一例についての説明である。上記説明は、静止部材に対して相対的に直線状に移動可能であり、出力の力を生成する移動部材を有する直動電械にも同様に適用可能である。この場合、「ロータ」、「回転」、「トルク」、「角度」等への言及は適宜置き換え可能であることは理解されるであろう。
【００５２】
本発明は、異なる実施の形態において様々な種類の電気的スイッチドブラシレス機械用トルク制御技術を提供しており、特に、スイッチドリラクタンス機械に適している。本発明は、駆動システムの熱挙動を閉制御することを可能にしている。開示された実施の形態では、最小限の変更で追加的な制御方式を既存の制御システムに組み込むことができるという大きな利点が示されている。詳細に開示された本実施の形態を本発明から逸脱することなく様々な変形または変更が可能であることは、当業者にとって自明である。本発明は、以下に記載される請求項の範囲にのみによって限定されるものである。